(57)【特許請求の範囲】
【請求項１】
洗浄槽内に収容する食器洗い機用の食器かごであって、小物を収容する小物用かごを備え、前記小物用かごは、樹脂材料で構成し、前記食器かごを構成する棒状部材をその弾性によって抱き込み係止する横向きの略コ字状の第１の係合部と第２の係合部とを有し、前記第１の係合部は前記第２の係合部より長く、前記小物用かごは、前記第１の係合部を一方向にスライドして前記棒状部材に係合させた後、前記第２の係合部を逆方向にスライドして前記棒状部材に係合させるように構成した食器洗い機用食器かご。
【請求項２】
洗浄槽内に収容する食器洗い機用の食器かごであって、小物を収容する小物用かごを備え、前記小物用かごは、樹脂材料で構成し、前記食器かごを構成する棒状部材をその弾性によって抱き込み係止する横向きの略コ字状の第１の係合部と下向きの略コ字状の第２の係合部とを有し、前記小物用かごは、前記第１の係合部を側方からスライドして前記棒状部材に係合させた後、前記第２の係合部を上方から前記棒状部材に係合させるように構成した食器洗い機用食器かご。
【請求項３】
第１および第２の係合部は、前記第１および第２の係合部を係止する棒状部材に垂直に取り付けてある棒状部材を入れる切欠部を有している請求項１又は２に記載の食器洗い機用食器かご。
【発明の詳細な説明】
【０００１】
【発明の属する技術分野】
本発明は、食器かごに小物用かごを備えている食器洗い機用食器かごに関するものである。
【０００２】
【従来の技術】
従来、この種の食器かごを備えた食器洗い機は図１３に示すように構成していた。以下、その構成について説明する。
【０００３】
図１３に示すように、食器洗い機本体１は、内部に洗浄槽２を設けており、この洗浄槽２内へ、給水弁３により水また湯を供給するようにしている。洗浄槽２の底部に排水孔４を設け、この排水孔４の他側部に連通したポンプ室に、モータ５によって駆動される洗浄ポンプ６を取り付け、この洗浄ポンプ６により洗浄水を洗浄槽２の内部に循環するように構成している。すなわち、この循環は、洗浄水が排水孔４から洗浄ポンプ６に吸い込まれ、洗浄ポンプ６より洗浄槽２の内底部に回転自在に設けた洗浄ノズル７に供給され、洗浄ノズル７から噴射され、食器を洗浄した後、再び排水孔４に戻るという経路で行われる。
【０００４】
洗浄ノズル７と洗浄槽２の底部との間には、洗浄水加熱用のヒータ８を装備している。また、洗浄ノズル７の上方には、食器９を整然と配置でき、またスプーン等の小物類１０を収容できる小物用かご１１を取り付けでき、洗浄水を効果的に食器９、小物類１０に噴射するように構成した食器かご１２を設置している。また、洗浄槽２の前面部には、開閉自在な扉１３を取り付けている。
【０００５】
食器かご１２は開放した扉１３の上部を食器洗い機本体１の前面外部へ引き出し可能になっている。また、排水ポンプ１４は、排水ホース１５を通して洗浄水を機外に排出するものである。
【０００６】
ここで、従来の小物用かご１１と食器かご１２の構成を説明すると、食器かご１２には、曲げ部を設けその曲げ部で小物用かご１１が食器かご１２から外れないように保持する小物用かご保持ピン１６を設け、小物用かご１２を保持している。
【０００７】
【発明が解決しようとする課題】
このような従来の食器洗い機の小物用かご１１を保持する構成では、小物用かご保持ピン１６が長いため、小物用かご１１にスプーン等の小物類１０をセットするとき、小物用かご保持ピン１６のたわみにより動いたりする。また、大きな力がかかったときには、小物用かご保持ピン１６が変形し、係合力の低下による小物用かご１１の外れという問題があった。
【０００８】
また、小物用かご１１がない状態では、小物用かご保持ピン１６が長いので容易に変形しやすい。変形によって係合力の低下による小物用かご１１の外れ、または係合力の増大による組み立て作業性の低下という問題があった。また、物流のときでも変形しやすいので、変形に対する管理を要する問題があった。
【０００９】
このため、小物用かご１１の係合力が不安定になるので、小物類の収容性、組み立て作業性の悪化、また、小物用かご保持ピン１６の形状が複雑になることによるコストアップがあった。
【００１０】
本発明は上記従来の課題を解決するもので、スプーン等の小物類の収容性、小物用かごの組み立て性を向上するとともに、小物用かごを保持する係合部を簡素化し、安価にすることを目的としている。
【００１１】
【課題を解決するための手段】
本発明は上記目的を達成するために、洗浄槽内に収容する食器洗い機用食器かごであって、スプーン等の小物類を収容する小物用かごを備え、前記小物用かごは、樹脂材料で構成し、前記食器かごを構成する棒状部材をその弾性によって抱き込み係止する横向きの第１の係合部と第２の係合部とを有し、前記第１の係合部は前記第２の係合部より長く、前記小物用かごは、前記第１の係合部を一方向にスライドして前記棒状部材に係合させた後、前記第２の係合部を逆方向にスライドして前記棒状部材に係合させるように構成したものである。
【００１２】
これにより、スプーン等の小物類の収容性、小物用かごの組み立て性を向上することができるとともに、回転方向に力を加えても小物用かごは容易に外れることがなくなり、小物用かごを保持する保持部を簡素化して安価にでき、物流のときの管理が不要な食器洗い機用食器かごを提供することができる。
【００１３】
【発明の実施の形態】
本発明の請求項１に記載の発明は、洗浄槽内に収容する食器洗い機用の食器かごであって、小物を収容する小物用かごを備え、前記小物用かごは、樹脂材料で構成し、前記食器かごを構成する棒状部材をその弾性によって抱き込み係止する横向きの第１の係合部と第２の係合部とを有し、前記第１の係合部は前記第２の係合部より長く、前記小物用かごは、前記第１の係合部を一方向にスライドして前記棒状部材に係合させた後、前記第２の係合部を逆方向にスライドして前記棒状部材に係合させるように構成したものであり、小物用かごに横向きで長さが異なる第１の係合部と第２の係合部を一体に設け、棒状部材に係止することにより、小物用かごと食器かごの係合力が安定し、回転方向に力を加えても小物用かごは容易に外れることがなくなり、また、上下方向にも外れ難くなり、小物類の収容性、小物用かごの組み立て性を向上することができるとともに、物流のときの管理が不要になり、小物用かごを保持する係合部を簡素化して、安価にすることができる。また、組み立てを簡素化することができるので、安価にできるとともに、組み立て性を向上することができる。
【００１４】
請求項２に記載の発明は、洗浄槽内に収容する食器洗い機用の食器かごであって、小物を収容する小物用かごを備え、前記小物用かごは、樹脂材料で構成し、前記食器かごを構成する棒状部材をその弾性によって抱き込み係止する横向きの略コ字状の第１の係合部と下向きの略コ字状の第２の係合部とを有し、前記小物用かごは、前記第１の係合部を側方からスライドして前記棒状部材に係合させた後、前記第２の係合部を上方から前記棒状部材に係合させるように構成したものであり、小物用かごに横向きの略コ字状の第１の係合部と下向きの略コ字状の第２の係合部とを一体に設け、棒状部材に係止することにより、小物用かごと食器かごの係合力が安定し、回転方向に力を加えても小物用かごは容易に外れることがなくなり、また、上下方向にも外れ難くなり、小物類の収容性、小物用かごの組み立て性を向上することができるとともに、物流のときの管理が不要になり、小物用かごを保持する係合部を簡素化して、安価にすることができる。また、組み立てを簡素化することができるので、安価にできるとともに、組み立て性を向上することができる。
【００１６】
請求項３に記載の発明は、上記請求項１又は２に記載の発明において、第１および第２の係合部は、前記第１および第２の係合部を係止する棒状部材に垂直に取り付けてある棒状部材を入れる切欠部を有しているものであり、係合部と係合する棒状部材と略垂直の棒状部材と切欠部を係合して固定することができるので、小物用かごの位置決めが容易にできる。
【００１７】
【実施例】
以下、本発明の実施例について、図面を参照しながら説明する。なお、従来例と同じ構成のものについては同一符号を付して説明を省略する。
【００１８】
（実施例１）
図１および図２に示すように、食器かご１７は、洗浄槽２内に収容し、左側に茶碗、汁椀等の椀類１８をセットし、右側に皿類１９をセットし、中央の小物用かご２０にスプーン等の小物類１０を収容するように構成している。小物用かご２０は、樹脂材料で構成し、下向きの略コ字状の係合部２１を２個一体に設けている。この係合部２１は、食器かご１７を構成する底部の水平方向に長い棒状部材２２をその弾性によって抱き込み係止するよう構成している。
【００１９】
また、係合部２１の側面に、図３に示すように、切欠部２３を設け、この切欠部２３に、棒状部材２２に垂直に取り付けてある棒状部材２４を入れて小物用かご２０の位置決めを行うようにしている。他の構成は従来例と同じである。
【００２０】
上記構成において作用を説明する。小物用かご２０の係合部２１を食器かご１７を構成する棒状部材２２の上方から差し込み、係合部２１の弾性によって棒状線材２２を左右から抱き込むことにより、外れないようにできる。このとき、係合部２１に設けた切欠部２３に、棒状部材２２に垂直に取り付けてある棒状部材２４を入れることにより、小物用かご２０の位置決めができる。
【００２１】
これにより、図３および図４に示すように、小物用かご２０に水平方向Ｘ、上下方向Ｙ、水平方向を回転軸として回転させる方向Ｚに力を加えても、小物用かご２０が容易に外れることがなくなり、小物類１０を収容するときの小物用かご２０の移動、係合力の低下による小物用かご２０の外れ、係合力の増大による組み立て作業性の低下ということがなくなる。また、従来の小物用かご保持ピンをなくすことにより、物流のときの係合部の変形に対する管理が不要になる。
【００２２】
したがって、小物類１０の収容性がよくなり、小物用かご２０を上から差し込むだけなので作業性が簡単になり、物流のときの管理が不要な安価な食器洗い機用食器かごを提供することができる。
【００２３】
なお、本実施例では、係合部２１に切欠部２３を設け、この切欠部２３に棒状部材２４を入れているが、この構成はなくても、上述の効果は得られる。
【００２４】
（実施例２）
図５に示すように、小物用かご２０は、樹脂材料で構成し、下向きの略コ字状の係合部２１と、横向きの略コ字状の係合部２５とを一体に設けている。これら係合部２１、２５は、食器かごを構成する底部の水平方向に長い棒状部材２２をその弾性によって抱き込み係止するよう構成している。
【００２５】
また、係合部２５の側面に、図６に示すように、切欠部２６を設け、この切欠部２６に、棒状部材２２に垂直に取り付けてある棒状部材２４を入れて小物用かご２０の位置決めを行うようにしている。他の構成は上記実施例１と同じである。
【００２６】
上記構成において作用を説明する。小物用かご２０の横向きの係合部２５を食器かご１７を構成する棒状部材２２に側方からスライドして差し込んだ後に、係合部２１を棒状部材２２の上方から差し込み、係合部２１、２５の弾性によって棒状線材２２を左右または上下から抱き込むことにより、外れないようにできる。このとき、係合部２１、２５にそれぞれ設けた切欠部２３（図３参照）、２６に、棒状部材２２に垂直に取り付けてある棒状部材２４を入れることにより、小物用かご２０の位置決めができる。
【００２７】
これにより、図６および図７に示すように、小物用かご２０に水平方向Ｘ、上下方向Ｙ、水平方向を回転軸として回転させる方向Ｚに力を加えても、小物用かご２０が容易に外れることがなくなり、小物類１０を収容するときの小物用かご２０の移動、係合力の低下による小物用かご２０の外れ、係合力の増大による組み立て作業性の低下ということがなくなる。従来の小物用かご保持ピンをなくすことにより、物流のときの係合部の変形に対する管理が不要になる。
【００２８】
したがって、小物類１０の収容性がよりよくなり、小物用かご２０があらゆる方向に対して外れ難くなり、小物用かご２０を横と上から差し込むだけなので作業性が簡単になった安価な食器洗い機用食器かごを提供することができる。
【００２９】
なお、本実施例では、係合部２１、２５にそれぞれ切欠部２３、２６を設け、この切欠部２３、２６に棒状部材２４を入れているが、この構成はなくても、上述の効果は得られる。
【００３０】
（実施例３）
図８に示すように、小物用かご２０は、樹脂材料で構成し、横向きの略コ字状の係合部２５ａ、２５ｂを一体に設けている。これら係合部２５ａ、２５ｂは、食器かごを構成する底部の水平方向に長い棒状部材２２をその弾性によって抱き込み係止するよう構成している。
【００３１】
また、係合部２５ａ、２５ｂの側面に、図示していないが、切欠部を設け、この切欠部に、棒状部材２２に垂直に取り付けてある棒状部材２４を入れて小物用かご２０の位置決めを行うようにしている。他の構成は上記実施例１と同じである。
【００３２】
上記構成において作用を説明する。まず、図８に示すように、小物用かご２０の一方の係合部２５ａを食器かご１７を構成する棒状部材２２に側方からＡ方向にスライドして差し込んだ後に、図８に示すように、他方の係合部２５ｂを棒状部材２２に側方からＢ方向にスライドして差し込む。係合部２５ｂの弾性によって棒状線材２２を上下から抱き込むことにより、外れないようにできる。このとき、係合部２５ａ、２５ｂにそれぞれ設けた切欠部に、棒状部材２２に垂直に取り付けてある棒状部材２４を入れることにより、小物用かご２０の位置決めができる。
【００３３】
これにより、小物用かご２０に水平方向Ｘ、上下方向Ｙ、水平方向を回転軸として回転させる方向Ｚに力を加えても、小物用かご２０が容易に外れることがなくなり、特に上下方向Ｙには外れることはなくなる。よって、係合力の低下による小物用かご２０の外れ、係合力の増大による組み立て作業性の低下ということがなくなる。また、従来の小物用かご保持ピンがないので、物流のときの係合部の変形に対する管理が不要になる。
【００３４】
したがって、小物類１０の収容性がよくなり、小物用かご２０をあらゆる方向に対して外れ難くなり、組み立て性が安定した安価な食器洗い機用食器かごを提供することができる。
【００３５】
なお、本実施例では、係合部２５ａ、２５ｂにそれぞれ切欠部を設け、この切欠部に棒状部材２４を入れているが、この構成はなくても、上述の効果は得られる。
【００３６】
（実施例４）
図１０に示すように、小物用かご２０は、樹脂材料で構成し、横向きの略Ｌ字状の係合部２７を２個一体に設けている。係合部２７は、食器かごを構成する底部の水平方向に長い棒状部材２２にスライドして係止するよう構成している。
【００３７】
また、係合部２７の側面に、図１１に示すように、切欠部２８設け、この切欠部２８に、棒状部材２２に垂直に取り付けてある棒状部材２４を入れて小物用かご２０の位置決めを行うようにしている。他の構成は上記実施例１と同じである。
【００３８】
上記構成において作用を説明する。小物用かご２０の係合部２７を食器かご１７を構成する棒状部材２２に側方からＡ方向にスライドして差し込む。係合部２７の弾性によって棒状線材２２を下方から抱き込むことにより、外れないようにできる。このとき、係合部２７に設けた切欠部２８に、棒状部材２２に垂直に取り付けてある棒状部材２４を入れることにより、小物用かご２０の位置決めができる。
【００３９】
これにより、図１１および図１２に示すように、小物用かご２０に水平方向Ｘ、上下方向Ｙ、水平方向を回転軸として回転させる方向Ｚに力を加えても、小物用かご２０が容易に外れることがなくなり、特に上下方向Ｙには外れることはなくなる。よって、係合力の低下による小物用かご２０の外れ、係合力の増大による組み立て作業性の低下ということがなくなる。また、従来の小物用かご保持ピンがないので、物流のときの係合部の変形に対する管理が不要になる。
【００４０】
したがって、小物類１０の収容性がよくなり、小物用かご２０をあらゆる方向に対して外れ難くなり、組み立て性が安定した安価な食器洗い機用食器かごを提供することができる。
【００４１】
なお、本実施例では、係合部２７に切欠部２８を設け、この切欠部２８に棒状部材２４を入れているが、この構成はなくても、上述の効果は得られる。
【００４２】
【発明の効果】
以上のように本発明の請求項１に記載の発明によれば、洗浄槽内に収容する食器洗い機用食器かごであって、スプーン等の小物類を収容する小物用かごを備え、前記小物用かごを樹脂材料で構成し、前記食器かごを構成する棒状部材への係合部を一体に設けたから、小物用かごに係合部を一体に設け、棒状部材に係止することにより、小物用かごと食器かごの係合力を安定することができ、小物類の収容性、小物用かごの組み立て性が安定し向上することができるとともに、物流のときの管理が不要になり、小物用かごを保持する係合部を簡素化して、安価にすることができる。
【００４３】
また、請求項２に記載の発明によれば、小物用かごは、食器かごを構成する棒状部材をその弾性によって抱き込み係止する略コ字状の係合部を有するから、小物用かごと食器かごとの係合力を安定することができ、小物類の収容性が安定するとともに、物流のときの管理が不要になり、組み立てを簡素化することができるので、安価にできるとともに、組み立て性を向上することができる。
【００４４】
また、請求項３に記載の発明によれば、小物用かごは、食器かごを構成する棒状部材に対してスライドして係止する略Ｌ字状の係合部を有するから、略Ｌ字状の係合部と直角方向の係合力を大きくすることができるので、小物類の収容性が安定するとともに、物流のときの管理が不要になり、また、従来の小物用かご保持ピンがないので、組み立てを簡素化することができるので、安価にできるとともに、組み立て性を向上することができる。
【００４５】
また、請求項４に記載の発明によれば、第１および第２の係合部は、略コ字状であるとともに切欠部を有しているので、係合部と係合する棒状部材と略垂直の棒状部材と切欠部を係合して固定することができるので、小物用かごの位置決めが容易にできる。
【図面の簡単な説明】
【図１】  本発明の第１の実施例の食器洗い機用食器かごの小物用かご組立前の一部切欠した要部側面図
【図２】  同食器洗い機用食器かごを備えた食器洗い機の一部切欠した正面図
【図３】  同食器洗い機用食器かごの一部切欠した要部正面図
【図４】  同食器洗い機用食器かごの一部切欠した要部側面図
【図５】  本発明の第２の実施例の食器洗い機用食器かごの小物用かご組立前の一部切欠した要部側面図
【図６】  同食器洗い機用食器かごの一部切欠した要部正面図
【図７】  同食器洗い機用食器かごの一部切欠した要部側面図
【図８】  本発明の第３の実施例の食器洗い機用食器かごの小物用かご組立前の一部切欠した要部側面図
【図９】  同食器洗い機用食器かごの一部切欠した要部側面図
【図１０】  本発明の第４の実施例の食器洗い機用食器かごの小物用かご組立前の一部切欠した要部側面図
【図１１】  同食器洗い機用食器かごの一部切欠した要部正面図
【図１２】  同食器洗い機用食器かごの一部切欠した要部側面図
【図１３】  従来の食器洗い機用食器かごを備えた食器洗い機の断面図
【符号の説明】
２  洗浄槽
１０  小物類
１７  食器かご
２０  小物用かご
２１  係合部
２２  棒状部材
【図１】
0004595233.tif 000002
【図２】
0004595233.tif 000003
【図３】
0004595233.tif 000004
【図４】
0004595233.tif 000005
【図５】
0004595233.tif 000006
【図６】
0004595233.tif 000007
【図７】
0004595233.tif 000008
【図８】
0004595233.tif 000009
【図９】
0004595233.tif 000010
【図１０】
0004595233.tif 000011
【図１１】
0004595233.tif 000012
【図１２】
0004595233.tif 000013
【図１３】
0004595233.tif 000014